(57)【要約】【課題】動画ボケおよびフリッカの双方を抑制する。【解決手段】表示部１０を構成する各画素回路Ｐにおいて、ＯＬＥＤ素子の発光期間は、発光制御信号によって制御される。表示部１０の中心に位置する第２領域は、発光制御回路４０によって、その周辺に位置する第１領域と比較して発光デューティが小さく設定される。発光輝度制御回路５０は発光デューティに応じて表示データＧｉｎを補正して得た画像データＧｏｕｔをデータ線駆動回路２３に供給する。【選択図】図１
2007127918.tif 000002
【特許請求の範囲】
【請求項１】
複数の電気光学素子がマトリクス状に配列された表示部を有し、前記複数の電気光学素
子の各々を画像データに応じた輝度で発光期間に発光させ、非発光期間に非発光状態にし
て画像を表示する発光装置を制御する発光制御装置において、
前記発光期間と前記非発光期間との比である発光デューティが前記表示部の周辺の一部
又は全部と比較して中心が小さくなるように制御する発光デューティ制御手段と、
表示すべき階調を指示する表示データを前記発光デューティに応じて補正し、前記複数
の電気光学素子の各々において、前記発光期間と前記非発光期間を平均した輝度が前記表
示データの階調に対応するように前記画像データを生成する発光輝度制御手段と、
を備えた発光制御装置。
【請求項２】
前記表示部は、その周辺から中心に向けて複数の領域に区分けされており、
前記発光デューティ制御手段は、前記領域ごとに発光デューティを設定し、周辺の領域
から中心の領域に向けて前記発光デューティが小さくなるように制御する、
ことを特徴とする請求項１に記載の発光制御装置。
【請求項３】
前記表示部は、複数の発光制御線を有し、前記複数の領域は前記発光制御線によって区
分けされることを特徴とする請求項２に記載の発光制御装置。
【請求項４】
発光輝度制御手段は、前記複数の領域の各々において、前記発光デューティと前記画像
データの指示する輝度との積が一定となるように前記表示データを前記発光デューティに
応じて補正して前記画像データを生成することを特徴とする請求項２又は３に記載の発光
制御装置。
【請求項５】
発光輝度制御手段は、前記複数の領域のうち周辺に位置する領域の前記発光デューティ
を１００％未満に設定することを特徴とする請求項２乃至４のうちいずれか１項に記載の
発光制御装置。
【請求項６】
前記発光輝度制御手段は、
前記領域ごとの発光デューティに対応して各々設けられ、前記表示データと前記画像デ
ータとを対応付けて記憶した複数の記憶手段と、
前記表示データの属する領域に応じて、前記複数の記憶手段から読み出した前記画像デ
ータを選択して前記表示装置へ出力する選択手段と、
を備えることを特徴とする請求項２乃至５のうちいずれか１項に記載の発光制御装置。
【請求項７】
複数の電気光学素子がマトリクス状に配列された表示部を有し、前記複数の電気光学素
子の各々を画像データに応じた輝度で発光期間に発光させ、非発光期間に非発光状態にし
て画像を表示する発光装置と、
請求項１乃至６のうちいずれか１項に記載の発光制御装置と、
を備えたことを特徴とする表示装置。
【請求項８】
請求項７に記載の表示装置を備えた電子機器。
【請求項９】
複数の電気光学素子がマトリクス状に配列された表示部を有し、前記複数の電気光学素
子の各々を画像データに応じた輝度で発光期間に発光させ、非発光期間に非発光状態にし
て画像を表示する発光装置を制御する発光制御方法において、
前記発光期間と前記非発光期間との比である発光デューティが前記表示部の周辺と比較
して中心が小さくなるように制御し、
表示すべき階調を指示する表示データを前記発光デューティに応じて補正し、前記複数
の電気光学素子の各々において、前記発光期間と前記非発光期間を平均した輝度が前記表
示データの階調に対応するように前記画像データを生成する、
ことを特徴とする発光制御方法。
【請求項１０】
前記表示部は、その周辺から中心に向けて複数の領域に区分けされており、
前記領域ごとに発光デューティを設定し、周辺の領域から中心の領域に向けて前記発光
デューティが小さくなるように制御する、
ことを特徴とする請求項９に記載の発光制御方法。
【発明の詳細な説明】
【技術分野】
【０００１】
本発明は、有機発光ダイオード（以下「OLED（Organic Light Emitting Diode）」とい
う）素子などの電気光学素子の挙動を制御する技術に関する。
【背景技術】
【０００２】
各々が電気光学素子を含む複数の画素回路を面状に配列した電気光学装置が従来から提
案されている。この種の電気光学装置においては、複数の画素回路が各フレーム期間にて
順次に選択され、この選択された画素回路にデータ信号が供給される。各画素回路にデー
タ信号が供給されてから次に当該画素回路が選択されるまでのひとつのフレーム期間にわ
たって電気光学素子がデータ信号に応じた階調に維持される電気光学装置はホールド型と
呼ばれる。
【０００３】
非特許文献１に開示されているように、ホールド型の電気光学装置においては、画像に
含まれる被写体の移動とこれに追従しようとする観察者の視点の移動との相違に起因して
、利用者によって知覚される被写体の輪郭が不明瞭となる現象（以下「動画ボケ」という
）が発生する。この動画ボケを解決するための方策としては、各電気光学素子の階調をフ
レーム期間にわたって維持するのではなく、ＣＲＴ（Cathode Ray Tube）に代表されるイ
ンパルス型の表示装置のように各電気光学素子を間欠的に駆動する（点灯させる）という
方法がある。しかし、各電気光学素子を駆動する各期間に間隔があると、画像全体の明度
が周期的に変動するフリッカと呼ばれる現象が顕著となる。つまり、動画ボケとフリッカ
はトレードオフの関係にある。
そこで、表示すべき画像が静止画であるか動画であるかを判別し、判別結果に応じてフ
レームレートを制御する技術が知られている（特許文献１）。
【非特許文献１】信学技法，EID2001-84（2002-01）p13-p18「ディスプレイの時間応答と動画の高画質化」，栗田泰市郎／電子情報通信学会（特に図３）
【特許文献１】特開２００２−９１４００号公報
【発明の開示】
【発明が解決しようとする課題】
【０００４】
しかしながら、従来の技術では、動画・静止画を判別する必要があるため、少なくとも
２フレーム分のメモリが必要であり、更に、動画・静止画を判別するため処理負荷が増加
する。本発明は、このような事情に鑑みてなされたものであり、簡易な構成で動画ボケお
よびフリッカの双方を抑制するという課題の解決を目的としている。
【課題を解決するための手段】
【０００５】
この課題を解決するために、本発明に係る発光制御装置は、複数の発光素子がマトリク
ス状に配列された表示部を有し、前記複数の発光素子の各々を画像データに応じた輝度で
発光期間に発光させ、非発光期間に非発光状態にして画像を表示する発光装置を制御する
ものであって、前記発光期間と前記非発光期間との比である発光デューティが前記表示部
の周辺の一部又は全部と比較して中心が小さくなるように制御する発光デューティ制御手
段と、表示すべき階調を指示する表示データを前記発光デューティに応じて補正し、前記
複数の発光素子の各々において、前記発光期間と前記非発光期間を平均した輝度が前記表
示データの階調に対応するように前記画像データを生成する発光輝度制御手段とを備える
。
【０００６】
人間の視細胞には桿体と錐体という２種類の細胞が存在する。桿体は、薄明視のときに
働くのに対し、錐体は昼間視のときに使われる。桿体は感度が高く、錐体は感度が低い。
桿体は網膜の中心部より周辺部に多く分布し、錐体は網膜の周辺部より中心部に多く分布
する。したがって、視野の周辺部の方が中心部と比較して明暗の検知能力が高く、逆に視
野の中心部は明暗の検知能力が低い。くわえて、人間がディスプレイを注視する場合、通
常、その中心部を注視することが多く、動きボケは注視している箇所に発生する。フリッ
カを人が検知できるのは、明暗の検知能力に依存するから、表示部の中心では周辺と比較
して、発光デューティが低くてもフリッカが検知されにくい。一方、発光デューティが低
いと動きボケが検知されにくい。本発明では、表示部の周辺と比較して中心の発光デュー
ティを小さく設定することにより、フリッカと動きボケを同時に抑制することができる。
また、動画・静止画を判別する必要がないので、構成を簡易にすることができる。
【０００７】
ここで、電気光学素子とは、電気的な作用により光学特性が変化する素子の総称であり
、例えば、有機ＥＬや無機ＥＬなどを用いた発光素子の他、印加電圧に応じて透過率が変
化する液晶素子が含まれる。また、液晶素子をバックライト等の光源からの光と一体と捉
えて発光素子として把握することもできる。ここで、表示部が長方形の形状である場合、
周辺とは、長方形の辺を意味する。上下左右の辺は表示部の周辺の全部に該当し、上下の
辺は表示部の周辺の一部に該当する。また、表示部の中心は対向する頂点を結んだ線の交
点となる。表示部の周辺の一部には、例えば、図１１に示すように表示部の上下端が該当
する。一方、表示分の周辺の全部には、例えば、図２又は図１０に示す場合が該当する。
【０００８】
より具体的には、前記表示部は、その周辺から中心に向けて複数の領域に区分けされて
おり、前記発光デューティ制御手段は、前記領域ごとに発光デューティを設定し、周辺の
領域から中心の領域に向けて前記発光デューティが小さくなるように制御することが好ま
しい。このように、領域に区分けして発光デューティを制御することによって、制御を単
純化することができる。なお、領域の区分けは人間の目における桿体の一般的な分布に対
応して定めることがより好ましい。
【０００９】
また、前記表示部は、複数の発光制御線を有し、前記複数の領域は前記発光制御線によ
って区分けされることが好ましい。この場合には、発光制御線によって区分けするので、
１行あたりの発光制御線の本数を１本とすることができる。なお、発光制御線を介して各
電気光学素子の発光デューティを制御する発光制御信号を供給し、画素回路は発光制御信
号に従って発光期間を制御することが好ましい。
【００１０】
また、発光輝度制御手段は、前記複数の領域の各々において、前記発光デューティと前
記画像データの指示する輝度との積が一定となるように前記表示データを前記発光デュー
ティに応じて補正して前記画像データを生成することが好ましい。例えば、中心を含む領
域の発光デューティを周辺を含む発光デューティの１／２倍に設定すると、中心を含む領
域の画像データの輝度は、周辺を含む領域の画像データの輝度の２倍になる。
さらに、発光輝度制御手段は、前記複数の領域のうち周辺に位置する領域の前記発光デ
ューティを１００％未満に設定することが好ましい。
【００１１】
次に、前記発光輝度制御手段は、前記領域ごとの発光デューティに対応して各々設けら
れ、前記表示データと前記画像データとを対応付けて記憶した複数の記憶手段（例えば、
図９に示すＬＵＴ１、ＬＵＴ２）と、前記表示データの属する領域に応じて、前記複数の
記憶手段から読み出した前記画像データを選択して前記表示装置へ出力する選択手段（例
えば、図９に示す選択回路５３）と、を備えることが好ましい。この場合には、演算によ
らずに画像データを生成することができるので、高速に動作させることが可能になり、し
かも演算処理の負荷を軽減することができる。
【００１２】
次に、本発明に係る表示装置は、複数の電気光学素子がマトリクス状に配列された表示
部を有し、前記複数の電気光学素子の各々を画像データに応じた輝度で発光期間に発光さ
せ、非発光期間に非発光状態にして画像を表示する発光装置と、上述した発光制御装置と
を備えたことを特徴とする。この表示装置によればフリッカと動画ボケを同時に抑制した
高品質の画像を表示することが可能となる。
次に、本発明に係る電子機器は、上述した表示装置を備えたものであって、例えば、携
帯電話機、パーソナルコンピュータなどが該当する。
【００１３】
次に、本発明に係る発光制御方法は、複数の電気光学素子がマトリクス状に配列された
表示部を有し、前記複数の電気光学素子の各々を画像データに応じた輝度で発光期間に発
光させ、非発光期間に非発光状態にして画像を表示する発光装置を制御する方法であって
、前記発光期間と前記非発光期間との比である発光デューティが前記表示部の周辺の一部
又は全部と比較して中心が小さくなるように制御し、表示すべき階調を指示する表示デー
タを前記発光デューティに応じて補正し、前記複数の電気光学素子の各々において、前記
発光期間と前記非発光期間を平均した輝度が前記表示データの階調に対応するように前記
画像データを生成することを特徴とする。この発明によれば、人の視覚特性が網膜の中心
が周辺と比較して明暗の感度が低いこと、人は表示部の中心部を注視し、そこで動きボケ
が発生することから、表示部の中心では周辺と比較して、発光デューティを低くした。こ
れにより、フリッカと動きボケを同時に抑制することができる。また、動画・静止画を判
別する必要がないので、処理負荷を軽減できる。
ここで、前記表示部は、その周辺から中心に向けて複数の領域に区分けされており、前
記領域ごとに発光デューティを設定し、周辺の領域から中心の領域に向けて前記発光デュ
ーティが小さくなるように制御することが好ましい。
【発明を実施するための最良の形態】
【００１４】
＜１．実施形態＞
図１は、本発明の実施形態に係る電気光学装置の構成を示すブロック図である。同図に
示されるように、この電気光学装置Ｄは、発光制御装置１と発光装置２を備える。発光装
置２は、複数の画素回路Ｐを面状に配列してなる表示部１０と、各画素回路Ｐを駆動して
階調を制御する駆動回路２０とを備える。発光制御装置１は、この駆動回路２０の動作を
制御する。なお、駆動回路２０や発光制御装置１の一部又は全部は、各画素回路Ｐが配列
される基板の表面やこの基板に接合された配線基板にＩＣチップの形態で実装されてもよ
いし、この基板の表面に作り込まれたスイッチング素子（典型的にはＴＦＴ（Thin Film 
Transistor））によって構成されてもよい。
【００１５】
表示部１０には、Ｘ方向に延在する４８０本の走査線１１と、Ｘ方向に直交するＹ方向
に延在する６４０本のデータ線１４とが形成される。また、表示部１０には、複数の発光
制御線１２が形成される。
図３に発光制御線１２と画素回路Ｐを示す。発光制御線１２は第１発光制御線１２ａと
第２発光制御線１２ｂとを備える。より詳細には、第１発光制御線１２ａは、各走査線１
１と対をなしてＸ方向に延在する４８０本の第１発光制御線１２ａ-0〜１２ａ-479から構
成され、第２発光制御線１２ｂは、２４０本の第２発光制御線１２ｂ-120〜１２ｂ-359か
ら構成される。第２発光制御線１２ｂ-120〜１２ｂ-359は第１発光制御線１２ａ-120〜１
２ａ-359と対をなしている。各画素回路Ｐは、走査線１１および発光制御線１２の対とデ
ータ線１４との各交差に対応した位置に配置される。したがって、これらの画素回路Ｐは
、縦４８０行×横６４０列のマトリクス状に配列する。
【００１６】
画素回路Ｐは、後述するようにＯＬＥＤ素子１７を含む。ＯＬＥＤ素子１７の光量は駆
動電流によって定まる。また、ＯＬＥＤ素子１７は発光期間において点灯し、非発光期間
において消灯する。発光期間と非発光期間は発光制御信号によって制御される。発光制御
信号は、第１発光制御信号Ｃａ-0〜Ｃａ-479と第２発光制御信号Ｃｂ-120〜Ｃｂ-359とか
らなる。第１発光制御信号Ｃａ-0〜Ｃａ-479は第１発光制御線１２ａ-120〜１２ａ-359を
介して画素回路Ｐに供給され、第２発光制御信号Ｃｂ-120〜Ｃｂ-359は第２発光制御線１
２ｂ-120〜１２ｂ-359を介して画素回路Ｐに供給される。なお、第１発光制御信号と第２
発光制御信号とを区別しないときは、単に発光制御信号Ｃと表記し、発光制御信号が供給
される行を[]にて表記する。発光期間と非発光期間の比を発光デューティとしたとき、第
１発光制御信号Ｃａは第１発光デューティduty1を指定し、第２発光制御信号Ｃｂは第２
発光デューティduty２を指定する。本実施形態では、duty２＜duty1となるように設定さ
れている。
【００１７】
図２は、表示部１０における表示領域を説明するための説明図である。この図に示すよ
うに表示部１０は、周辺に位置する第１領域Ａ１と中心に位置する第２領域Ａ２とを備え
る。第１領域Ａ１に位置する画素回路Ｐは第１発光制御線１２ａと接続される一方、第２
領域Ａ２に位置する画素回路Ｐは第２発光制御線１２ｂに接続される。したがって、第１
領域Ａ１のＯＬＥＤ素子１７の発光デューティは第１発光デューティduty１となる一方、
第２領域Ａ２のＯＬＥＤ素子１７の発光デューティは第２発光デューティduty２となる。
すなわち、表示部１０の周辺と比較して中心が小さくなるように発光デューティが設定さ
れる。
【００１８】
人間の視覚において、光は網膜に存在している視細胞の外節と呼ばれる部分で受容され
る。視細胞には桿体と錐体という２種類の細胞が存在する。桿体は、薄暗いところ（月明
かり程度の）でものを見る（薄明視）ときに働くのに対し、錐体は明るいところでものを
見る（昼間視）ときに使われる。通常、桿体は大きな外節を持ち感度が高い。これに対し
、錐体の外節は小さく感度は低いかわりに、応答速度が速いという性質がある。そして、
桿体は網膜の中心部より周辺部に多く分布し、錐体は網膜の周辺部より中心部に多く分布
する。したがって、視野の周辺部の方が中心部と比較して明暗の検知能力が高く、逆に視
野の中心部は明暗の検知能力が低い。くわえて、人間がディスプレイを注視する場合、通
常、その中心部を注視することが多く、動きボケは注視している箇所に発生する。
【００１９】
フリッカを人が検知できるのは、明暗の検知能力に依存するから、表示部１０の中心で
は周辺と比較して、発光デューティが低くてもフリッカが検知されにくい。一方、発光デ
ューティが低いと動きボケが検知されにくい。そこで、本実施形態では、表示部１０の周
辺と比較して中心部の発光デューティを小さく設定し、これにより、フリッカを感じない
ようにしつつ、動きボケを低減した。
【００２０】
次に、駆動回路２０は、走査線駆動回路２１とデータ線駆動回路２３と発光制御線駆動
回路３０とを含む。発光制御装置１は、電気光学装置Ｄの動作のタイミングを規定する各
種の信号を駆動回路２０に供給することによってこれらの各回路を制御する。さらに、発
光制御装置１は、各画素で表示すべき階調を示す表示データＧｉｎを補正して、画像デー
タＧｏｕｔを生成し、これをデータ線駆動回路２３に出力する。詳細については後述する
が、画像データＧｏｕｔは、各ＯＬＥＤ素子１７の輝度（発光期間と非発光期間の平均）
が、表示データＧｉｎの指示する階調となるように発光デューティに応じて決定される。
【００２１】
走査線駆動回路２１は、４８０本の走査線１１の各々を順番に選択するための走査信号
Ｙ（Ｙ[0]、Ｙ[2]、……、Ｙ[479]）を各走査線１１に出力する回路である。すなわち、
走査線駆動回路２１は、図６に示されるように、水平同期信号によって規定される水平走
査期間（１Ｈ）ごとに何れかの走査線１１を選択し、この選択した走査線１１に供給され
る走査信号Ｙをハイレベルに遷移させる一方、非選択の各走査線１１に供給される走査信
号Ｙをローレベルに維持する。本実施形態においては、第０行から第４７９行までの合計
４８０本の走査線１１の選択に要する期間を「フレーム期間Ｆ」と表記する。
【００２２】
データ線駆動回路２３は、走査線駆動回路２１による選択行に属する各画素回路Ｐの画
像データＧｏｕｔに応じたデータ信号Ｘ（Ｘ[0]、Ｘ[1]、……、Ｘ[639]）を生成して各
データ線１４に出力する。データ信号Ｘは、画像データＧｏｕｔによって画素回路Ｐごと
に指定される光量に応じた電流信号（電流量Ｉdata）である。一方、発光制御線駆動回路
３０は、各画素回路Ｐの発光期間を規定する第１発光制御信号Ｃａおよび第２発光制御信
号Ｃｂを生成して第１発光制御線１２ａおよび第２発光制御線１２ｂに各々出力する。
【００２３】
図５に発光制御線駆動回路３０の回路例を示す。発光制御線駆動回路３０は、第１シフ
トレジスタ３１および第２シフトレジスタ３２を備える。第１シフトレジスタ３１は、図
６に示すように、第１基準信号Ｃａrefを水平走査信号ＨＳの立下りエッジのタイミング
で順次シフトして、第１発光制御信号Ｃａ[0]〜Ｃａ[479]を生成する。この例において、
第１発光制御信号Ｃａの第１発光デューティduty１は、duty１＝Ｔａ１／（Ｔａ１＋Ｔａ
２）で与えられ、例えば、８０％に設定されている。また、第２シフトレジスタ３２は、
第２基準信号Ｃｂrefを水平走査信号ＨＳの立下りエッジのタイミングで順次シフトして
、第２発光制御信号Ｃｂ[120]〜Ｃｂ[359]を生成する。第２発光制御信号Ｃｂの第２発光
デューティduty２は、duty２＝Ｔｂ１／（Ｔｂ１＋Ｔｂ２）で与えられ、例えば、５０％
に設定されている。第１発光制御信号Ｃａ[0]〜Ｃａ[479]は第１発光制御線１２ａ-0〜１
２ａ-479に供給される一方、第２発光制御信号Ｃｂ[120]〜Ｃａ[359]は第２発光制御線１
２ｂ-120〜１２ａ-359に供給される。
【００２４】
次に、図４は、ひとつの画素回路Ｐの構成を示す回路図である。なお、同図においては
、第０行に属する第０列目の画素回路Ｐのみが図示されているが、他の画素回路Ｐも同様
の構成である。図４に示されるように、本実施形態の画素回路Ｐは、ｐチャネル型の駆動
トランジスタＴdrと、ｎチャネル型の３個のトランジスタ（発光制御トランジスタＴel・
選択トランジスタＴsel・スイッチングトランジスタＴsw）と、電圧を保持する容量素子
Ｃと、電源の高位側の電位Ｖddが供給される電源線と低位側の電位Ｇndが供給される接地
線との間に介挿されたＯＬＥＤ素子１７とを含む。ＬＥＤ素子１７は、有機ＥＬ材料から
なる発光層を陽極と陰極との間隙に介在させた発光素子であり、駆動電流Ｉelの電流量に
応じた階調（輝度）で発光する。
【００２５】
駆動トランジスタＴdrは、駆動電流Ｉelの電流量を制御するための素子であり、電源の
高位側の電位Ｖddが供給される電源線にソースが接続されるとともにドレインが発光制御
トランジスタＴelのドレインに接続される。この発光制御トランジスタＴelは、駆動電流
Ｉelが実際にＯＬＥＤ素子１７に供給される期間（すなわちＯＬＥＤ素子１７が実際に発
光する期間）を規定するためのスイッチング素子であり、ソースがＯＬＥＤ素子１７の陽
極に接続されるとともにゲートが発光制御線１２ａに接続される。
【００２６】
一方、スイッチングトランジスタＴswは、駆動トランジスタＴdrのゲートとドレインと
の間に介挿されたスイッチング素子であり、そのゲートは選択トランジスタＴselのゲー
トとともに走査線１１に接続される。スイッチングトランジスタＴswがオン状態に遷移す
ると駆動トランジスタＴdrはダイオード接続される。選択トランジスタＴselは、駆動ト
ランジスタＴdrのドレインとデータ線１４との間に介挿されて両者の導通および非導通を
切り替えるスイッチング素子である。
【００２７】
以上の構成において、各フレーム期間のうち所定の水平走査期間で走査信号Ｙがハイレ
ベルに遷移すると、スイッチングトランジスタＴswがオン状態となって駆動トランジスタ
Ｔdrがダイオードとして機能する。このときに選択トランジスタＴselはオン状態となっ
ているから、電源線から駆動トランジスタＴdrおよび選択トランジスタＴselを経由して
データ信号Ｘの電流Ｉdataがデータ線１４に流れ込む。したがって、容量素子Ｃには、駆
動トランジスタＴdrのゲートの電位に応じた電荷（すなわち電流Ｉdataに応じた電荷）が
蓄積される。
【００２８】
次いで、水平走査期間が経過して走査信号Ｙがローレベルになると、スイッチングトラ
ンジスタＴswおよび選択トランジスタＴselはともにオフ状態となる。したがって、駆動
トランジスタＴdrのゲート−ソース間の電圧はその直前の水平走査期間で容量素子Ｃに蓄
積された電荷に応じた電圧に維持される。この状態において発光制御信号Ｃａがハイレベ
ルに遷移すると発光制御トランジスタＴelがオン状態に遷移し、この結果として駆動トラ
ンジスタＴdrのゲートの電位に応じた駆動電流（すなわちデータ信号Ｘの電流量Ｉdataに
応じた電流）Ｉelが電源線から駆動トランジスタＴdrを経由してＯＬＥＤ素子１７に供給
される。そして、ＯＬＥＤ素子１７は駆動電流Ｉelに応じた輝度に発光する。
【００２９】
次に、発光制御装置１について説明する。図１に示すように発光制御装置１は、入力イ
ンターフェース回路３０、発光デューティ制御回路４０、および発光輝度制御回路５０を
備える。入力インターフェース回路３０には、外部機器から表示データＧｉｎ、水平同期
信号ＨＳ、垂直同期信号ＶＳおよびドットクロック信号ＣＬＫが供給される。
【００３０】
発光デューティ制御回路４０は、第１および第２発光デューティ制御回路４１および４
２を備える。第１発光デューティ制御回路４１は、第１領域Ａ１における第１発光デュー
ティduty１を制御する。具体的には、垂直同期信号ＶＳおよび水平同期信号ＨＳに基づい
て第１基準信号Ｃａrefを生成する。第２発光デューティ制御回路４２は、第２領域Ａ２
における第２発光デューティduty２を制御する。具体的には、垂直同期信号ＶＳおよび水
平同期信号ＨＳに基づいて第２基準信号Ｃｂrefを生成する。
【００３１】
発光輝度制御回路５０は、第１画像データ変換回路５１、第２画像データ変換回路５２
、および選択回路５３を備える。第１画像データ変換回路５１は、表示データＧｉｎに補
正を施して、発光期間における光量を指定する第１画像データＧｈ１を生成する。例えば
、表示部１０において発光デューティが１００％である場合の輝度が６００ｃｄ／ｍ２で
あり、表示データＧｉｎが８ビットで０〜２５５階調を指定可能である場合を想定する。
また、この場合において、表示データＧｉｎの階調と表示部１０の輝度の関係は、図７に
示すように線形の関係があり階調２５５のとき２００ｃｄ／ｍ２であるものとする。第１
画像データＧｈ１は、以下の式（１）によって与えられる。
Ｇｈ１＝（Ｇｉｎ／６００）＊（２００／０．８）…（１）
【００３２】
また、第２画像データ変換回路５２も第１画像データ変換回路５１と同様に表示データ
Ｇｉｎに補正を施して、発光期間における光量を指定する第２画像データＧｈ２を演算に
よって生成する。第２画像データＧｈ２は、以下の式（２）によって与えられる。
Ｇｈ２＝（Ｇｉｎ／６００）＊（２００／０．５）…（２）
【００３３】
つまり、第１および第２画像データＧｈ１およびＧｈ２は、表示データＧｉｎを発光デ
ューティに応じて補正したものであり、表示データＧｉｎの値が同じであれば、発光期間
と非発光期間を平均した輝度が、異なる発光デューティにおいて等しくなるように補正さ
れる。このように発光デューティで正規化するように補正したので、発光デューティと発
光期間の光量の積が一定となり、所定の輝度を表示することが可能となる。
【００３４】
図８に表示データＧｉｎと第１および第２画像データＧｈ１およびＧｈ２との関係を示
す。この図に示すように第１発光デューティduty1（＝0.8）に対応する第１画像データＧ
ｈ１の値は、第２発光デューティduty２（＝0.5）に対応する第２画像データＧｈ２の値
より小さい。これは、発光期間が長いからである。より具体的には、表示データＧｉｎの
値が同じとき、Ｇｈ２／Ｇｈ１＝duty1／duty２＝１．６となる。これにより、発光デュ
ーティが相違しても同じ輝度を表示することが可能となる。つまり、第１画像データＧｈ
１と第１発光デューティduty1の積は、第２画像データＧｈ１と第２発光デューティduty1
の積は等しくなる。また、この例に示すように周辺に位置する第１領域Ａ１の第１発光デ
ューティduty1は１００％未満であることが好ましい。
【００３５】
図１に示す選択回路５３は、処理の対象となる表示データＧｉｎが第１領域Ａ１に属す
るか第２領域Ａ２に属するかを垂直同期信号ＶＳ、水平同期信号ＨＳおよびドットクロッ
ク信号ＣＬＫに基づいて判別する。そして、選択回路５３は、表示データＧｉｎが第１領
域Ａ１に属する場合は第１画像データＧｈ１を選択し、表示データＧｉｎが第２領域Ａ２
に属する場合は第２画像データＧｈ２を選択し、これを画像データＧｏｕｔとしてデータ
線駆動回路２３に出力する。
【００３６】
このように本実施形態では、人間の視覚特性に着目して、表示部１０の中心の発光デュ
ーティを周辺の発光デューティよりも小さく設定したので、フリッカと動画ボケの双方を
抑制することが可能となる。また、動画と静止画を判別する必要がないので、回路規模が
大幅に増大することもない。
【００３７】
＜２．変形例＞
本発明は上述した実施形態に限定されるものではなく、例えば、以下に述べる各種の変
形が可能である。
（１）上述した実施形態では、演算によって第１画像データＧｈ１と第２画像データＧｈ
２とを生成したが、メモリを用いてこれらを生成してもよい。例えば、図９に示すように
第１画像データ変換回路５１の替わりに第１テーブルＬＵＴ１を備え、第２画像データ変
換回路５２の替わりに第２テーブルＬＵＴ２を備えてもよい。この場合、第１テーブルＬ
ＵＴ１には、予め演算により算出した第１画像データＧｈ１が表示データＧｉｎと対応付
けられて記憶されており、第２テーブルＬＵＴ２には、予め演算により算出した第２画像
データＧｈ２が表示データＧｉｎと対応付けられて記憶されている。この場合には、リア
ルタイムの演算によって第１画像データＧｈ１と第２画像データＧｈ２とを生成する必要
がないので、発光輝度制御回路５０の処理負荷を軽減すると共に、高速で画像データＧｏ
ｕｔを生成することが可能となる。
【００３８】
（２）上述した実施形態および変形例においては、第２領域Ａ２は長方形の形状をしてい
たが、図１０に示すように第２領域Ａ２の形状を楕円にしてもよい。この場合には、第２
領域Ａ２の形状を人の視細胞における錐体の分布により一層近づけることができるので、
フリッカと動画ボケをより一層抑制することができる。
【００３９】
（３）上述した実施形態および変形例では、第２領域Ａ２の周りを第１領域Ａ１が取り囲
むように第１および第２領域Ａ１およびＡ２を配置したが本発明はこれに限定されるもの
ではなく、発光制御線１２によって区分けされてもよい。この場合は、図１１に示すよう
に、第０行から第１１９行および第３６０行から第４７９行までが第１領域Ａ１となり、
第１２０行から第３５９行までが第２領域Ａ２となる。上述した実施形態では、第２領域
Ａ２が位置する第１２０行から第３５９行までの範囲では、第１発光制御線１２ａと第２
発光制御線１２ｂを表示部１０に形成する必要があったが、この変形例によれば、第１領
域Ａ１と第２領域Ａ２とを発光制御線１２によって区分けしたので、１行に１本の発光制
御線１２を配置すれば良い。より具体的には、第０行から第１１９行および第３６０行か
ら第４７９行までの範囲には第１発光制御線１２ａを形成し、第１２０行から第３５９行
までの範囲には第２発光制御線１２ｂを形成すればよい。これにより、開口率を向上させ
、明るい画像を表示させることが可能となる。
【００４０】
（４）上述した実施形態および変形例では、表示部１０が２つの領域に区分けされていた
が、本発明はこれに限定されるものではなく、３以上の表示部１０を３以上の複数の領域
に区分けし、各領域ごとに発光デューティを設定し、周辺の領域から中心の領域に向けて
発光デューティが小さくなるように制御し、発光デューティに応じて表示データＧｉｎを
補正して画像データＧｏｕｔを生成してもよい。
さらに、周辺の領域から中心の領域に向けて発光デューティが連続して小さくなるよう
に制御してもよい。この場合、発光制御線駆動回路３０は、図１２に示すように構成して
もよい。この発光制御線駆動回路３０は、水平同期信号ＨＳをカウントするカウンタ３５
を備える。カウンタ３５は垂直同期信号ＶＳでリセットされるようになっている。したが
って、カウント値は１フレームの開始からの時間を示す。
各一致回路３６は、発光期間の長さを示すデータｄ０、ｄ１、…ｄ４７９とカウント値
を比較して両者が一致したときにＨレベルとなる一致信号を生成する。ＳＲフリップフロ
ップ３７のセット端子Ｓには走査信号Ｙ[0]、Ｙ[1]、…Ｙ[479]が各々供給され、その立
下りエッジでセットされる。一方、リセット端子Ｒには一致信号が供給され、その立ち上
がりエッジでリセットされる。これによって、各行の画素回路Ｐにおいてデータ信号Ｘの
書き込みが終了すると、データｄ０〜ｄ４７９で指定される期間だけＯＬＥＤ素子１７が
発光する。ここで、データｄ０〜ｄ４７９は、表示部の周辺から中心に向けて発光デュー
ティが連続して小さくなるように設定されている。
【００４１】
（５）画素回路Ｐの構成は図４の例示に限定されない。例えば、図４に例示した電流プロ
グラミング方式（データ線１４の電流Ｉdataに応じてＯＬＥＤ素子１７の階調が調整され
る方式）の画素回路Ｐに代えて、データ線１４の電圧に応じてＯＬＥＤ素子１７の階調が
調整される電圧プログラミング方式の画素回路を採用してもよい。また、各実施形態にお
いてはOLED素子をＯＬＥＤ素子１７として例示したが、本発明における電気光学素子はこ
れに限定されない。例えば、ＯＬＥＤ素子１７に代えて、液晶素子や無機ＥＬ素子、フィ
ールド・エミッション（ＦＥ）素子、表面導電型エミッション（ＳＥ：Surface-conducti
on  Electron-emitter）素子、弾道電子放出（ＢＳ：Ballistic  electron  Surface  em
itting）素子、ＬＥＤ（Light  Emitting  Diode）素子など様々な電気光学素子を利用す
ることができる。このように、本発明における電気光学素子は、電気エネルギの付与によ
って階調が変化する素子であればよい。本発明における画素回路は、データ信号に応じた
階調に駆動される電気光学素子（典型的にはデータ信号に応じた輝度に発光する発光素子
）と、この電気光学素子が実際に駆動される期間（より具体的には電気光学素子が実際に
発光する期間）を制御する手段（例えば各実施形態における発光制御トランジスタＴel）
とを含んでいれば足り、その具体的な構成の如何は不問である。
【００４２】
＜Ｄ：応用例＞
次に、本発明に係る電気光学装置Ｄを利用した電子機器について説明する。図１３は、
以上に説明した何れかの形態に係る電気光学装置Ｄを表示装置として採用したモバイル型
のパーソナルコンピュータの構成を示す斜視図である。パーソナルコンピュータ２０００
は、表示装置としての電気光学装置Ｄと本体部２０１０とを備える。本体部２０１０には
、電源スイッチ２００１およびキーボード２００２が設けられている。この電気光学装置
ＤはＯＬＥＤ素子１７にOLED素子を使用しているので、視野角が広く見易い画面を表示で
きる。
【００４３】
図１４に、実施形態に係る電気光学装置Ｄを適用した携帯電話機の構成を示す。携帯電
話機３０００は、複数の操作ボタン３００１およびスクロールボタン３００２、ならびに
表示装置としての電気光学装置Ｄを備える。スクロールボタン３００２を操作することに
よって、電気光学装置Ｄに表示される画面がスクロールされる。
【００４４】
図１５に、実施形態に係る電気光学装置Ｄを適用した携帯情報端末（ＰＤＡ：Personal
Digital Assistants）の構成を示す。情報携帯端末４０００は、複数の操作ボタン４０
０１および電源スイッチ４００２、ならびに表示装置としての電気光学装置Ｄを備える。
電源スイッチ４００２を操作すると、住所録やスケジュール帳といった各種の情報が電気
光学装置Ｄに表示される。
【００４５】
なお、本発明に係る電気光学装置Ｄが適用される電子機器としては、図１３から図１５
に示したもののほか、デジタルスチルカメラ、テレビ、ビデオカメラ、カーナビゲーショ
ン装置、ページャ、電子手帳、電子ペーパー、電卓、ワードプロセッサ、ワークステーシ
ョン、テレビ電話、ＰＯＳ端末、プリンタ、スキャナ、複写機、ビデオプレーヤ、タッチ
パネルを備えた機器等などが挙げられる。
【図面の簡単な説明】
【００４６】
【図１】本発明の実施形態に係る電気光学装置の構成を示すブロック図である。
【図２】発光デューティによって区分けされた領域を説明するための説明図である。
【図３】第１発光制御線および第２発光制御線と画素回路の関係を示す説明図である。
【図４】ひとつの画素回路の構成を示す回路図である。
【図５】発光制御線駆動回路の構成を示すブロック図である。
【図６】電気光学装置Ｄの動作を示すタイミングチャートである。
【図７】階調と輝度の関係を示すグラフである。
【図８】表示データと第１画像データおよび第２画像データの関係を示す図表である。
【図９】変形例に係る電気光学装置の構成を示すブロック図である。
【図１０】変形例に係る第１領域と第２領域の一例を示す説明図である。
【図１１】変形例に係る第１領域と第２領域の他の例を示す説明図である。
【図１２】変形例に係る発光制御線駆動回路３０の構成を示すブロック図である。
【図１３】本発明に係る電子機器の具体的な形態を示す斜視図である。
【図１４】本発明に係る電子機器の具体的な形態を示す斜視図である。
【図１５】本発明に係る電子機器の具体的な形態を示す斜視図である。
【符号の説明】
【００４７】
Ｄ……電気光学装置、１……発光制御装置、２……発光装置、１０……表示部、１１……
走査線、１２ａ……第１発光制御線、１２ａ……第２発光制御線、１４……データ線、１
７……ＯＬＥＤ素子、２０……駆動回路、２１……走査線駆動回路、２３……データ線駆
動回路、３０……発光制御線駆動回路、４０……発光デューティ制御回路、４１……第１
発光デューティ制御回路、４２……第２発光デューティ制御回路、５０……画像データ生
成回路、５１……第１画像データ変換回路、５２……第２画像データ変換回路。
【図１】
2007127918.tif 000003
【図２】
2007127918.tif 000004
【図３】
2007127918.tif 000005
【図４】
2007127918.tif 000006
【図５】
2007127918.tif 000007
【図６】
2007127918.tif 000008
【図７】
2007127918.tif 000009
【図８】
2007127918.tif 000010
【図９】
2007127918.tif 000011
【図１０】
2007127918.tif 000012
【図１１】
2007127918.tif 000013
【図１２】
2007127918.tif 000014
【図１３】
2007127918.tif 000015
【図１４】
2007127918.tif 000016
【図１５】
2007127918.tif 000017